【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
ドラムを収容する水槽と筐体との間において当該水槽を防振支持する防振装置を備えたドラム式洗濯機において、
前記防振装置は、
筒状をなし内部が空気で満たされたシリンダと、
このシリンダ内を軸方向に沿って相対的に往復動するロッドと、
このロッドの軸方向に沿う２箇所において当該ロッドの外周面との間に隙間を有して配置され、前記シリンダの内周面を摺動するそれぞれ環状の第１の摩擦摺動部材および第２の摩擦摺動部材と、
前記ロッドに設けられ、前記第１の摩擦摺動部材を挟んで当該ロッドの軸方向に沿って第１の所定間隔を有するとともに前記第１の摩擦摺動部材の内径よりも径大に形成された一対の第１の当接部と、
前記ロッドに設けられ、前記第２の摩擦摺動部材を挟んで当該ロッドの軸方向に沿って第２の所定間隔を有するとともに前記第２の摩擦摺動部材の内径よりも径大に形成された一対の第２の当接部とを備え、
前記第１の所定間隔から前記第１の摩擦摺動部材の軸方向の厚さを減算した値が、前記第２の所定間隔から前記第２の摩擦摺動部材の軸方向の厚さを減算した値よりも大きくなるように構成したことを特徴とするドラム式洗濯機。
【手続補正２】
【補正対象書類名】明細書
【補正対象項目名】００１０
【補正方法】変更
【補正の内容】
【００１０】
本発明は、ドラムを収容する水槽と筐体との間において当該水槽を防振支持する防振装置を備えたドラム式洗濯機において、前記防振装置は、筒状をなし内部が空気で満たされたシリンダと、このシリンダ内を軸方向に沿って相対的に往復動するロッドと、このロッドの軸方向に沿う２箇所において当該ロッドの外周面との間に隙間を有して配置され、前記シリンダの内周面を摺動するそれぞれ環状の第１の摩擦摺動部材および第２の摩擦摺動部材と、前記ロッドに設けられ、前記第１の摩擦摺動部材を挟んで当該ロッドの軸方向に沿って第１の所定間隔を有するとともに前記第１の摩擦摺動部材の内径よりも径大に形成された一対の第１の当接部と、前記ロッドに設けられ、前記第２の摩擦摺動部材を挟んで当該ロッドの軸方向に沿って第２の所定間隔を有するとともに前記第２の摩擦摺動部材の内径よりも径大に形成された一対の第２の当接部とを備え、前記第１の所定間隔から前記第１の摩擦摺動部材の軸方向の厚さを減算した値が、前記第２の所定間隔から前記第２の摩擦摺動部材の軸方向の厚さを減算した値よりも大きくなるように構成したことに特徴を有する。
【手続補正３】
【補正対象書類名】明細書
【補正対象項目名】００１１
【補正方法】変更
【補正の内容】
【００１１】
本発明のドラム式洗濯機によれば、脱水起動時において水槽に低周波振動が発生し、シリンダに対するロッドの振幅が大きくなると、第１の当接部が第１の摩擦摺動部材に当接し、第１の摩擦摺動部材がロッドとともに往復動してシリンダの内周面を摺動するようになる。このとき、第１の所定間隔から第１の摩擦摺動部材の軸方向の厚さを減算した値が、第２の所定間隔から第２の摩擦摺動部材の軸方向の厚さを減算した値よりも大きいことから、第２の当接部も第２の摩擦摺動部材に当接し、当該第２の摩擦摺動部材もロッドとともに往復動してシリンダの内周面を摺動する。これにより、ロッドの往復動に大きな摩擦力が発生するので、脱水起動時の水槽の振動を極力抑えることができ、脱水の起動性能を向上することができる。
脱水起動時から脱水定常時に移行する過程において、シリンダに対するロッドの振幅が小さくなっていくと、第１の当接部が第１の摩擦摺動部材に当接しなくなり、第２の摩擦摺動部材のみがロッドとともに往復動してシリンダの内周面を摺動するようになる。これにより、ロッドの往復動に上記の脱水起動時より小さな摩擦力が発生する。
【手続補正４】
【補正対象書類名】明細書
【補正対象項目名】００１２
【補正方法】変更
【補正の内容】
【００１２】
そして、脱水定常時において水槽に高周波振動が発生し、シリンダに対するロッドの振幅が小さくなると、第２の当接部が第２の摩擦摺動部材に当接しなくなり、ロッドのみが往復動するようになる。この場合、シリンダの内部が空気で満たされており、しかも、ロッドの外周面と第１の摩擦摺動部材および第２の摩擦摺動部材との間に隙間が設けられているため、ロッドは殆んど抵抗のない状態で往復動し、ロッドの往復動に摩擦力が発生することはない。これにより、脱水定常時の水槽の振動を筐体に伝わり難くすることができ、筐体の振動量や振動音を極力小さくすることができる。
このように、脱水起動時の低周波振動に対してはロッドの往復動に大きな摩擦力を発生させ、脱水起動時から脱水定常時に移行する過程においてはロッドの往復動に脱水起動時より小さな摩擦力を発生させ、脱水定常時の高周波振動に対してはロッドの往復動に摩擦力を発生させないようにすることができ、水槽の振動周波数に応じてサスペンションの減衰力を３段階に変化させることができる。
【手続補正５】
【補正対象書類名】明細書
【補正対象項目名】００１３
【補正方法】変更
【補正の内容】
【００１３】
（第１の参考実施形態）
以下、本発明の第１の参考実施形態について図１および図２を参照して説明する。
図２は、ドラム式洗濯機１の縦断側面図を示している。ドラム式洗濯機１の外殻をなす筐体２の前面部（図２では左側）の中央部には、洗濯物出入口３および当該洗濯物出入口３を開閉する扉４が設けられており、筐体２の前面上部には、操作パネル５が設けられている。この操作パネル５は、使用者がドラム式洗濯機１の運転に係る各種の操作をするためのもので、電源スイッチ、スタートスイッチ、各種選択スイッチなど、多数の操作スイッチ（何れも図示せず）を備えている。
【手続補正６】
【補正対象書類名】明細書
【補正対象項目名】００２６
【補正方法】変更
【補正の内容】
【００２６】
（第２の参考実施形態）
次に、本発明の第２の参考実施形態について図３を参照して説明する。なお、上述した第１の参考実施形態と同一の部分については説明を省略し、異なる部分についてのみ説明する。
【手続補正７】
【補正対象書類名】明細書
【補正対象項目名】００３０
【補正方法】変更
【補正の内容】
【００３０】
（第３の参考実施形態）
次に、本発明の第３の参考実施形態について図４を参照して説明する。なお、上述した第１の参考実施形態と同一の部分については説明を省略し、異なる部分についてのみ説明する。
図４に示すサスペンション４０（防振装置に相当）は、上述した第１の参考実施形態に示したものにおいて、当接部を構成するリング部材２７および段部２８の摩擦摺動部材２４に対向する部分に、合成ゴム、樹脂などの材料からなる緩衝部材４１を設けたものである。
【手続補正８】
【補正対象書類名】明細書
【補正対象項目名】００３２
【補正方法】変更
【補正の内容】
【００３２】
（第４の参考実施形態）
次に、本発明の第４の参考実施形態について図５を参照して説明する。なお、上述した第２の参考実施形態と同一の部分については説明を省略し、異なる部分についてのみ説明する。
図５に示すサスペンション５０（防振装置に相当）は、上述した第２の参考実施形態に示したものにおいて、当接部を構成するリング部材２７および段部２８の摩擦摺動部材３１に対向する部分に、合成ゴム、樹脂などの材料からなる緩衝部材５１を設けたものである。
【手続補正９】
【補正対象書類名】明細書
【補正対象項目名】００３４
【補正方法】変更
【補正の内容】
【００３４】
（本発明の一実施形態）
次に、本発明の一実施形態について図６を参照して説明する。なお、上述した第１の参考実施形態と同一の部分については説明を省略し、異なる部分についてのみ説明する。
【手続補正１０】
【補正対象書類名】明細書
【補正対象項目名】００４３
【補正方法】変更
【補正の内容】
【００４３】
上述した第１の参考実施形態および第３の参考実施形態において、摩擦摺動管２６が摺動部本体２５に対して軸方向に沿って往復動可能に構成してもよい。この構成によれば、低周波振動により摩擦摺動部材２４の摺動部本体２５および摩擦摺動管２６がロッド２０とともに往復動する状態と、高周波振動によりロッド２０のみが往復動する状態との間に、摩擦摺動部材２４の摩擦摺動管２６のみがロッド２０とともに往復動する状態をつくることができ、水槽６の振動周波数に応じて３段階の減衰力を実現することができる。
【手続補正１１】
【補正対象書類名】明細書
【補正対象項目名】００４５
【補正方法】変更
【補正の内容】
【００４５】
【図１】本発明の第１の参考実施形態を示すものであり、サスペンションの内部構成を示す縦断側面図
【図２】ドラム式洗濯機の内部構成を示す縦断側面図
【図３】本発明の第２の参考実施形態を示す図１相当図
【図４】本発明の第３の参考実施形態を示す図１相当図
【図５】本発明の第４の参考実施形態を示す図１相当図
【図６】本発明の一実施形態を示す図１相当図